(57)【要約】【課題】ノイズ低減効果と解像力をレンズ毎に設定することができる撮影レンズ、及び、この撮影レンズを有する撮像装置を提供する。【解決手段】撮像装置１００は、撮像素子Ｃを有するカメラボディＢと、このカメラボディＢに取り付けられる撮影レンズＣＬであって、被写体の像を撮像素子Ｃ上に結像するレンズＳＬと、入射した光線を２つの光線に分離させて射出する複屈折板を有する光学的ローパスフィルタであるレンズ側フィルタＬＦＬと、を有する撮影レンズＣＬと、から構成され、レンズ側フィルタＬＦＬは、レンズＳＬの光路上に挿脱可能であることを特徴とする。【選択図】図１
2013210611.tif 000002
【特許請求の範囲】
【請求項１】
撮像素子を有するカメラボディに取り付けられる撮影レンズであって、
被写体の像を前記撮像素子上に結像するレンズと、
入射した光線を２つの光線に分離させて射出する複屈折板を有する光学的ローパスフィルタであるレンズ側フィルタと、を有し、
前記レンズ側フィルタは、前記レンズの光路上に挿脱可能であることを特徴とする撮影レンズ。
【請求項２】
前記光学的ローパスフィルタは、少なくとも前記複屈板を、光軸を中心に回転可能であることを特徴とする請求項１に記載の撮影レンズ。
【請求項３】
前記カメラボディは前記撮像素子の物体側に前記光学的ローパスフィルタであるボディ側フィルタを有し、
前記レンズ側フィルタは、前記カメラボディに取り付けられたときに、
前記複屈折板の分離方向が、前記ボディ側フィルタの前記複屈折板の分離方向と同一方向若しくは反対方向に向くように取り付けられ、
前記複屈折板の分離幅が、前記レンズ側フィルタ及び前記ボディ側フィルタを通過したときに前記レンズの解像力に適した値になるように設定されていることを特徴とする請求項１または２に記載の撮影レンズ。
【請求項４】
光軸上の幅よりも周辺部の幅の方が小さい形状を有する前記複屈折板を少なくとも１枚有することを特徴とする請求項１〜３のいずれか一項に記載の撮影レンズ。
【請求項５】
前記複屈折板の少なくとも１面は、凸形状を有していることを特徴とする請求項４に記載の撮影レンズ。
【請求項６】
前記複屈折板は、複屈折を起こす材料からなることを特徴とする請求項１〜５のいずれか一項に記載の撮影レンズ。
【請求項７】
前記複屈折板は、異方性を有する材料からなることを特徴とする請求項１〜５のいずれか一項に記載の撮影レンズ。
【請求項８】
前記複屈折板は、１軸結晶の材料からなることを特徴とする請求項１〜５のいずれか一項に記載の撮影レンズ。
【請求項９】
前記カメラボディに着脱可能な交換レンズであることを特徴とする請求項１〜８のいずれか一項に記載の撮影レンズ。
【請求項１０】
請求項１〜９のいずれか一項に記載の撮影レンズを有することを特徴とする撮像装置。
【発明の詳細な説明】
【技術分野】
【０００１】
本発明は、撮影レンズ及びこの撮影レンズを有する撮像装置に関する。
【背景技術】
【０００２】
デジタルスチルカメラやビデオカメラ等の電子撮像装置では、撮像素子によるモアレ縞や偽色等のノイズを低減させるために、複屈折を利用した光学的ローパスフィルタが用いられている（例えば、特許文献１参照）。このような光学的ローパスフィルタによりノイズが低減される反面、高周波成分の解像力も劣化する。
【先行技術文献】
【特許文献】
【０００３】
【特許文献１】特開２００４−３４９７３８号公報
【発明の概要】
【発明が解決しようとする課題】
【０００４】
一般的に、光学的ローパスフィルタはカメラボディに内蔵されている（撮像素子の前面に取り付けられている）ため、レンズ交換式のカメラであっても、すべてのレンズでノイズ低減と解像力劣化が、一様に発生するという課題があった。
【０００５】
本発明はこのような課題に鑑みてなされたものであり、ノイズ低減効果と解像力をレンズ毎に設定することができる撮影レンズ、及び、この撮影レンズを有する撮像装置を提供することを目的とする。
【課題を解決するための手段】
【０００６】
前記課題を解決するために、本発明に係る撮影レンズは、撮像素子を有するカメラボディに取り付けられる撮影レンズであって、被写体の像を撮像素子上に結像するレンズと、入射した光線を２つの光線に分離させて射出する複屈折板を有する光学的ローパスフィルタであるレンズ側フィルタと、を有し、レンズ側フィルタは、レンズの光路上に挿脱可能であることを特徴とする。
【０００７】
このような撮影レンズにおいて、光学的ローパスフィルタは、少なくとも複屈板を、光軸を中心に回転可能であることが好ましい。
【０００８】
また、このような撮影レンズにおいて、カメラボディは撮像素子の物体側に光学的ローパスフィルタであるボディ側フィルタを有し、レンズ側フィルタは、カメラボディに取り付けられたときに、複屈折板の分離方向が、ボディ側フィルタの複屈折板の分離方向と同一方向若しくは反対方向に向くように取り付けられ、複屈折板の分離幅が、レンズ側フィルタ及びボディ側フィルタを通過したときにレンズの解像力に適した値になるように設定されていることが好ましい。
【０００９】
また、このような撮影レンズは、光軸上の幅よりも周辺部の幅の方が小さい形状を有する複屈折板を少なくとも１枚有することが好ましい。
【００１０】
また、このような撮影レンズにおいて、複屈折板の少なくとも１面は、凸形状を有していることが好ましい。
【００１１】
また、このような撮影レンズにおいて、複屈折板は、複屈折を起こす材料からなることが好ましい。
【００１２】
また、このような撮影レンズにおいて、複屈折板は、異方性を有する材料からなることが好ましい。
【００１３】
また、このような撮影レンズにおいて、複屈折板は、１軸結晶の材料からなることが好ましい。
【００１４】
また、このような撮影レンズは、カメラボディに着脱可能な交換レンズであることが好ましい。
【００１５】
また、本発明に係る撮像装置は、上述の撮影レンズのいずれかを有することを特徴とする。
【発明の効果】
【００１６】
本発明を以上のように構成すると、ノイズ低減効果と解像力をレンズ毎に設定することができる撮影レンズ、及び、この撮影レンズを有する撮像装置を提供することができる。
【図面の簡単な説明】
【００１７】
【図１】撮像装置の構成を説明するための説明図である。
【図２】光学的ローパスフィルタの構成を説明するための説明図である。
【図３】光学的ローパスフィルタの変形例を説明するための説明図である。
【図４】撮影光学系の構成を説明するための説明図である。
【図５】上記撮影光学系におけるスポットダイアグラムであって、（ａ）は第１実施例を示し、（ｂ）は第２実施例を示し、（ｃ）は第３実施例を示し、（ｄ）は第４実施例を示す。
【図６】上記撮影光学系におけるスポットダイアグラムであって、（ａ）は第５実施例を示し、（ｂ）は第６実施例を示し、（ｃ）は第７実施例を示し、（ｄ）は第８実施例を示し、（ｅ）は第９実施例を示す。
【発明を実施するための形態】
【００１８】
以下、本発明の好ましい実施形態について図面を参照して説明する。図１に示すように、デジタルスチルカメラやビデオカメラ等の撮像装置１００では、レンズＳＬ等からなる撮影光学系により像面Ｉに結像された被写体の像をＣＣＤ等の撮像素子Ｃを用いて撮影を行う。この撮像素子Ｃは受光画素が規則的に配列されているので、受光画素の配列パターンと被写体像のパターンとにより、モアレ縞や偽色等のノイズが発生する場合がある。このような現象を低減させるために、レンズＳＬと撮像素子Ｃとの間（撮像素子Ｃの前面）に配置される光学的ローパスフィルタ（以下、「ボディ側フィルタＢＦＬ」と呼ぶ）が用いられる。このボディ側フィルタＢＦＬは、複屈折部材（以下、「複屈折板」と呼ぶ）を有し、この複屈折板による光の複屈折を利用して入射光線を常光線と異常光線（直線光線）とに分離することにより、ある程度以上の細かさの模様をぼかすことで撮像素子Ｃで発生する上記ノイズを低減させるものである。なお、このような複屈折部材としては、複屈折を起こす材料、異方性を有する材料、又は、１軸結晶の材料を用いることができる。
【００１９】
また、本実施形態に係る撮像装置１００は、撮像素子Ｃや、この撮像素子Ｃで取得された信号を処理してデジタル画像を生成するＣＰＵ（図示せず）や、撮影したデジタル画像を表示する背面液晶ディスプレイＤ等がが搭載されたカメラボディＢと、このカメラボディＢに取り付けられ、レンズＳＬが内蔵された撮影レンズＣＬとから構成される。そして、この撮像装置１００におけるカメラボディＢの撮像素子Ｃの前面（物体側）に上述のボディ側フィルタＢＦＬが設けられるとともに、撮影レンズＣＬのレンズＳＬの光軸上に（本実施形態では、最も像側に）光学的ローパスフィルタ（以下、「レンズ側フィルタＬＦＬ」と呼ぶ）が設けられている。なお、撮影レンズＣＬは、カメラボディＢと一体に構成されていても良いし、カメラボディＢに対して着脱可能な交換レンズであっても良い。
【００２０】
このような光学的ローパスフィルタであるボディ側及びレンズ側フィルタＢＦＬ，ＬＦＬを撮像装置１００に搭載することにより、撮像素子Ｃで受光される被写体光のうち、撮像素子Ｃの画素ピッチを波長とする空間周波数成分が除去されるため、ノイズが低減される。しかしながら、その反面、高周波成分の解像力も劣化してしまう。この複屈折板に入射した光線が常光線及び異常光線に分離して出射したときの常光線と異常光線との分離幅は、光線が通過した複屈折板の距離（厚さ）に比例する。すなわち、光学的ローパスフィルタを構成する複屈折板が厚いほど分離幅は大きくなり、薄いほど小さくなる。上述したように、従来の光学的ローパスフィルタは、カメラボディＢに内蔵されているため、全ての撮影レンズＣＬでノイズ低減と解像力劣化が一様に発生する。
【００２１】
しかしながら、撮影レンズＣＬに内蔵されているレンズＳＬは、それぞれ固有の残存収差を有している。そのため、撮影レンズＣＬ（レンズＳＬ）の残存収差が大きいときは、カメラボディＢに内蔵されたボディ側フィルタＢＦＬによるノイズ低減効果を少なくして解像力の劣化を防ぎ、逆に、撮影レンズＣＬ（レンズＳＬ）の残存収差が小さいときは、カメラボディＢに内蔵されたボディ側フィルタＢＦＬによる解像力の劣化を犠牲にしてもノイズ低減効果を大きくするために、本実施形態に係る撮影レンズＣＬには、上述のレンズ側フィルタＬＦＬが設けられている。この撮影レンズＣＬに設けられたレンズ側フィルタＬＦＬは、カメラボディＢに内蔵されたボディ側フィルタＢＦＬと組み合わせたときに、複屈折による光の分離幅が、この撮影レンズＣＬに搭載されたレンズＳＬの残存収差に対して最適となるように（言い換えると、レンズＳＬの性能（解像度）に最適となるように）、その分離幅が設定されている。具体的には、ボディ側及びレンズ側フィルタＢＦＬ，ＬＦＬに設けられた複屈折板の分離方向を合わせ（カメラボディＢに撮影レンズＣＬが取り付けられたときに、レンズ側フィルタＬＦＬの分離方向がボディ側フィルタＢＦＬの分離方向と同一方向になるか、反対方向になるようにし）、光線の分離量（分離幅）をそれぞれの複屈折板の厚さで制御するように構成されている。
【００２２】
また、上述したように、モアレ縞や偽色等のノイズは、受光画素の配列パターンと被写体像のパターンとにより発生するため、被写体に応じて、ノイズが発生しにくい被写体のときは光学ローパスフィルタによるノイズ低減効果を小さくして（光線の分離量（分離幅）を小さくして）、解像力の劣化を防ぎ、ノイズが発生しやすい被写体のときは光学的ローパスフィルタによる光線の分離量（分離幅）を大きくすることにより、ノイズ低減効果を大きくすることが必要である。そのため、本実施形態に係る撮影レンズＣＬは、レンズ側フィルタＬＦＬがこの撮影レンズＣＬのレンズＳＬの光路上に挿脱可能に（この撮影レンズＣＬの筐体に対して着脱自在に）構成されている。すなわち、カメラボディＢに設けられたボディ側フィルタＢＦＬで十分なときはこの撮影レンズＣＬからレンズ側フィルタＬＦＬを取り外す。また、ボディ側フィルタＢＦＬの分離量（分離幅）を増減させたいときは、上述したように、ボディ側フィルタＢＦＬに設けられた複屈折板の分離方向にレンズ側フィルタＬＦＬに設けられた複屈折板の分離方向を合わせるように取り付け（カメラボディＢに撮影レンズＣＬが取り付けられたときに、レンズ側フィルタＬＦＬの分離方向がボディ側フィルタＢＦＬの分離方向と同一方向になるか、反対方向になるようにし）、光線の分離量（分離幅）をそれぞれの複屈折板の厚さで制御する。
【００２３】
さらに、本実施形態に係る撮影レンズＣＬは、この撮影レンズＣＬに取り付けられたレンズ側フィルタＬＦＬをレンズＳＬの光軸を中心に回転可能に構成されている。これにより、被写体像のパターンの方向に応じて光線の分離方向を調整することにより、ノイズの発生を適切に低減させることができる。このとき、レンズ側フィルタＬＦＬの全体を光軸を中心に回転させるように構成しても良いし、複屈折板だけを光軸を中心に回転させるように構成しても良い。
【００２４】
なお、上述の説明は、カメラボディＢにボディ側フィルタＢＦＬが設けられている場合について説明したが、このボディ側フィルタＢＦＬを有しないカメラボディＢに対しても、上述のレンズ側フィルタＬＦＬを有する撮影レンズＣＬは有効である。すなわち、被写体に応じて、ノイズが発生しにくいときはレンズ側フィルタＬＦＬを撮影レンズＣＬから取り外して解像力の低下を防ぎ、ノイズが発生しやすいときはそのノイズの量に応じて適切な光線の分離量（分離幅）を有するレンズ側フィルタＬＦＬを選択して取り付けることができる。
【００２５】
ここで、レンズ側フィルタＬＦＬの構成としては、図２（ａ），（ｂ）に示すように、１枚の平板状の複屈折板ＤＲと平板状の紫外線及び赤外線をカットするフィルタ（以下、ＩＲカットフィルタＩＲと呼ぶ）とを光軸方向に並べて配置して２点分離の光学的ローパスフィルタとして構成でも良し、図２（ｃ）〜（ｆ）に示すように、１枚の平板状のλ／４板ＲＬの両側に２枚の複屈折板ＤＲ１，ＤＲ２を配置して４点分離の光学的ローパスフィルタとして構成としても良い。なお、図２（ａ）〜（ｆ）はそれぞれ、複屈折板ＤＲ，ＤＲ１，ＤＲ２の厚さを変えた（すなわち、光線の分離量（分離幅）を変えた）構成例を示している。また、複屈折板とＩＲカットフィルタ又はλ／４板は接合しても良いし、分離して配置しても良い。
【００２６】
また、本実施形態に係る光学的ローパスフィルタの形状は、上述の平板状の複屈折板の構成に限定されることはない。上述したモアレ縞や偽色等のノイズの影響は、解像力が高い撮影レンズＣＬ（レンズＳＬ）のセンタ付近（光軸付近）で大きく、画面周辺部では低減される。そのため、複屈折板の形状を、周辺部の厚さを中心部より薄くする、例えば、複屈折板を凸レンズ状に形成する（正の屈折力を有するように構成する）ことにより、画面周辺部における複屈折板の効果を小さくするように構成することも可能である。複屈折板をこのような形状とすることにより、画面周辺部での高周波成分の解像力の劣化を招かずに、センタのノイズを低減することができる。
【００２７】
具体的な構成例として、まず、２点分離の光学的ローパスフィルタについて説明する。図３（ａ）は１枚の複屈折板ＤＲで構成され、この複屈折板ＤＲは両凸レンズ形状を有している。また、図３（ｂ）は物体側から順に、像側に凸面を向けた平凸レンズ形状の複屈折板ＤＲ、及び、平板状のＩＲカットフィルタＩＲから構成されている。また、図３（ｃ）は、像側に凸面を向けた平凸レンズ形状の複屈折板ＤＲと、物体側に凹面を向けた平凹形状の保護ガラスＰＬとを接合して構成されている。また、図３（ｄ）は、像側に凹面を向けた平凹レンズ形状の保護ガラスＰＬと、物体側に凸面を向けた平凸レンズ形状の複屈折板ＤＲと、平板状のＩＲカットフィルタＩＲとを接合して構成されている。
【００２８】
また、４点分離の光学的ローパスフィルタは、２枚の複屈折板ＤＲ１，ＤＲ２とλ／４板ＲＬとから構成されている。図３（ｅ）は物体側から順に、両凸レンズ形状の第１複屈折板ＤＲ１、平板形状のλ／４板ＲＬ、及び、両凸レンズ形状の第２複屈折板ＤＲ２から構成されている。また、図３（ｆ）は物体側から順に、像側に凸面を向けた平凸レンズ形状の第１複屈折板ＤＲ１と物体側に凹面を向けた平凹レンズ形状の保護ガラスＰＬと、平板状のλ／４板ＲＬと、像側に凸面を向けた平凸レンズ形状の第２複屈折板ＤＲ２と、物体側に凹面を向けた平凹レンズ形状の保護ガラスＰＬ２とを接合して構成されている。また、図３（ｇ）は、物体側から順に、像側に凸面を向けた平凸レンズ形状の第１複屈折板ＤＲ１と物体側に凹面を向けた平凹レンズ形状の保護ガラスとを接合した光学部材、平板状のλ／４板ＲＬ、及び、物体側に凸面を向けた平凸レンズ形状の第２複屈折板ＤＲ２と像側に凹面を向けた平凹レンズ形状の保護ガラスＰＬ２とを接合した光学部材から構成されている。
【００２９】
このように、複屈折板ＤＲ，ＤＲ１，ＤＲ２を凸レンズ形状とすると、光軸部分を中心に周辺部に行くに従って薄くなるため、センタでの光線の分離幅を大きくし、周辺部に行くに従って分離幅を小さくすることができる。そのため、複屈折板ＤＲの凸面の曲率及び中心厚を調整することにより、センタと画面周辺部における光線の分離幅を調整することができる。また、図３（ｃ），（ｄ）に示すように、保護ガラスＰＬと複屈折板ＤＲとを接合することにより、迷光の発生を抑えることができる。なお、複屈折板ＤＲ，ＤＲ１，ＤＲ２の形状は、いずれか一方の面を凸面にしても良いし、両方の面を凸面にしても良い。また、複屈折板が複数あるときは少なくとも１つの複屈折板を凸レンズ形状にすれば良い。
【実施例】
【００３０】
以下に、撮影レンズＣＬに設けられたレンズ側フィルタＬＦＬの効果について、実施例に基づいて説明する。なお、以降の実施例においては、ボディ側フィルタＢＦＬを有しない場合について説明する。また、図２（ａ）〜（ｆ）に示す光学的ローパスフィルタを用いた場合について説明する。
【００３１】
［第１実施例］
まず、第１実施例として、図２（ａ）に示す構成の光学的ローパスフィルタをレンズ側フィルタＬＦＬとして有する撮影レンズＣＬの構成について説明する。図４に示すように、この第１実施例に係る撮影レンズＣＬに搭載されたレンズＳＬは、物体側から順に、平板状のフィルタＰＦ、両凸レンズＬ１、両凸レンズＬ２と両凹レンズＬ３とを接合した接合レンズ、物体側に凸面を向けた負メニスカスレンズＬ４と両凸レンズＬ５とを接合した接合レンズ、両凹レンズＬ６、物体側に凹面を向けた正メニスカスレンズＬ７と両凹レンズＬ８とを接合した接合レンズ、開口絞りＳ、両凸レンズＬ９、物体側に凹面を向けた負メニスカスレンズＬ１０、及び、物体側に凹面を向けた正メニスカスレンズＬ１１から構成される。また、レンズ側フィルタＬＦＬは、物体側から順に、複屈折板ＤＲ及び上述のＩＲカットフィルタＩＲから構成されている。
【００３２】
以下の表１に、図４に示す撮影光学系（レンズＳＬ及びレンズ側フィルタＬＦＬから構成される光学系）の諸元を示す。この表１において、ｆは撮影光学系の全系の焦点距離を、２ωは画角を、ＦｎｏはＦナンバーを、αは光軸に直交する面内における基準となる方向に対するレンズ側フィルタＬＦＬの複屈折板ＤＲの分離方向のズレ量をそれぞれ表している。この基準となる方向とは、例えば、ボディ側フィルタＢＦＬが配置されているときのそのボディ側フィルタＢＦＬが有する複屈折板の分離方向である。また、第１欄ｍは光線の進行する方向に沿った各光学面の面番号を、第２欄ｒは各光学面の曲率半径を、第３欄ｄは各光学面から次の光学面までの光軸上の距離（面間隔）を、第４欄νｄ及び第５欄ｎｄはｄ線（λ＝５８７．６ｎｍ）に対するアッベ数及び屈折率を、それぞれ表している。ここで、表１に示す面番号１〜２６は、図４に示す面１〜２６に対応している。また、曲率半径0.000は、レンズ面の場合は平面を示し、開口絞りの場合は開口を示す。また、空気の屈折率1.00000は省略してある。
【００３３】
なお、以下の全ての諸元値において掲載されている焦点距離ｆ、曲率半径ｒ、面間隔ｄその他長さの単位は一般に「ｍｍ」が使われるが、光学系は、比例拡大又は比例縮小しても同等の光学性能が得られるので、これに限られるものではない。また、以上の諸元表の説明は、以降の実施例においても同様である。
【００３４】
（表１）
ｆ＝294.00ｍｍ
２ω＝8.38°
Ｆｎｏ＝2.88
α＝0°
ｍ      ｒ       ｄ     νｄ    ｎｄ
1      0.000    4.00   64.10  1.51680
2      0.000    0.60
3    173.866   12.00   82.52  1.49782
4   -978.065    0.20
5    133.636   15.00   82.52  1.49782
6   -464.694    5.00   46.54  1.80411
7    332.918   46.30
8     99.554    3.50   45.00  1.74400
9     55.631   15.90   82.52  1.49782
10  -1371.060   29.55
11   -169.969    2.70   64.10  1.51680
12     67.285    4.51
13   -192.927    7.00   33.89  1.80384
14    -43.081    2.80   61.09  1.58913
15     83.887   19.21
16      0.000    1.70
17    194.039    5.80   69.98  1.51860
18    -90.958    3.10
19    -43.595    3.50   28.56  1.79504
20    -64.790    7.60
21   -175.804    6.70   70.41  1.48749
22    -53.035   14.50
23      0.000    0.80   69.87  1.54431
24      0.000    1.00
25      0.000    0.50   95.13  1.52509
26      0.000   90.61
【００３５】
図５（ａ）に、本第１実施例の撮影光学系の無限遠合焦時における光軸のスポットダイヤグラムを示す。この図５（ａ）に示すように、光軸上の光線が２点に分離されていることが分かる。
【００３６】
［第２実施例］
次に、第２実施例として、第１実施例と同様のレンズＳＬを有する撮影レンズＣＬに対して、図２（ｂ）に示す構成の光学的ローパスフィルタをレンズ側フィルタＬＦＬとして取り付けた場合について説明する。この図２（ｂ）に示す光学的ローパスフィルタは、図２（ａ）に示す光学的ローパスフィルタよりも複屈折板ＤＲが薄い、すなわち、光線の分離量（分離幅）が小さい場合を示している。
【００３７】
以下の表２にこの第２実施例に係る撮影光学系の諸元を示す。なお、レンズＳＬの構成は第１実施例と同一のため、詳細な説明は省略し、表２には、レンズ側フィルタＬＦＬの諸元のみを示す。ここで、ｄ２２は、レンズＳＬの最も像側のレンズＬ１１の最も像側の面（第２２面）からレンズ側フィルタＬＦＬの最も物体側の面（第２３面）までの光軸上の距離を示す。この説明は以降の実施例においても同様である。
【００３８】
（表２）
ｆ＝294.00ｍｍ
２ω＝8.38°
Ｆｎｏ＝2.88
α＝0°
ｄ２２＝14.50
ｍ      ｒ       ｄ     νｄ    ｎｄ
23      0.000    0.50   69.87  1.54431
24      0.000    1.00
25      0.000    0.50   95.13  1.52509
26      0.000   90.80
【００３９】
図５（ｂ）に、本第２実施例の撮影光学系の無限遠合焦時における光軸のスポットダイヤグラムを示す。このように、レンズ側フィルタＬＦＬが有する複屈折板ＤＲの厚さにより、光線の分離幅が変化することが分かる（この第２実施例では第１実施例よりも複屈折板ＤＲを薄くしたため、光線の分離量は少なくなっている）。
【００４０】
［第３実施例］
次に、第３実施例として、第１実施例と同様のレンズＳＬを有する撮影レンズＣＬに対して、図２（ａ）に示す構成の光学的ローパスフィルタをレンズ側フィルタＬＦＬとして取り付けた場合であって、第１実施例の構成に対してこのレンズ側フィルタＬＦＬの分離方向を９０°回転させた場合（α＝９０°の場合）について説明する。
【００４１】
以下の表３にこの第３実施例に係る撮影光学系の諸元を示す。
【００４２】
（表３）
ｆ＝294.00ｍｍ
２ω＝8.38°
Ｆｎｏ＝2.88
α＝90°
ｄ２２＝14.50
ｍ      ｒ       ｄ     νｄ    ｎｄ
23      0.000    0.80   69.87  1.54431
24      0.000    1.00
25      0.000    0.50   95.13  1.52509
26      0.000   90.61
【００４３】
図５（ｃ）に、本第３実施例の撮影光学系の無限遠合焦時における光軸のスポットダイヤグラムを示す。このように、レンズ側フィルタＬＦＬを９０°回転させることにより、光線の分離方向も９０°回転していることが分かる。
【００４４】
［第４実施例］
次に、第４実施例として、第１実施例と同様のレンズＳＬを有する撮影レンズＣＬに対して、図２（ａ）に示す構成の光学的ローパスフィルタをレンズ側フィルタＬＦＬとして取り付けた場合であって、第１実施例の構成に対してこのレンズ側フィルタＬＦＬの分離方向を４５°回転させた場合（α＝４５°の場合）について説明する。
【００４５】
以下の表４にこの第４実施例に係る撮影光学系の諸元を示す。
【００４６】
（表４）
ｆ＝294.00ｍｍ
２ω＝8.38°
Ｆｎｏ＝2.88
α＝45°
ｄ２２＝14.50
ｍ      ｒ       ｄ     νｄ    ｎｄ
23      0.000    0.80   69.87  1.54431
24      0.000    1.00
25      0.000    0.50   95.13  1.52509
26      0.000   90.61
【００４７】
図５（ｄ）に、本第４実施例の撮影光学系の無限遠合焦時における光軸のスポットダイヤグラムを示す。このように、レンズ側フィルタＬＦＬを４５°回転させることにより、光線の分離方向も４５°回転していることが分かる。
【００４８】
［第５実施例］
次に、第５実施例として、第１実施例と同様のレンズＳＬを有する撮影レンズＣＬに対して、図２（ｃ）に示す構成の光学的ローパスフィルタをレンズ側フィルタＬＦＬとして取り付けた場合について説明する。
【００４９】
以下の表５にこの第５実施例に係る撮影光学系の諸元を示す。なお、この第５実施例に係るレンズ側フィルタＬＦＬの面番号は、最も物体側の面（第１複屈折板ＤＲ１の物体側の面）が２３であり、第１複屈折板ＤＲ１とλ／４板ＲＬとの接合面が２４であり、λ／４板ＲＬと第２複屈折板ＤＲ２との接合面が２５であり、最も像側の面（第２複屈折板ＤＲ２の像側の面）が２６である。また、本実施形態に係るλ／４板ＲＬはＩＲカットガラスとλ／４板が接合されたもので構成されており、第２４面の面間隔ｄ（λ／４板ＲＬの厚さ）並びに屈折率ｎｄ及びアッベ数νｄは、ＩＲカットガラスとλ／４板の合計の値である。これらの説明は以降の実施例においても同様である。
【００５０】
（表５）
ｆ＝294.00ｍｍ
２ω＝8.38°
Ｆｎｏ＝2.88
α＝0°
ｄ２２＝14.50
ｍ      ｒ       ｄ     νｄ    ｎｄ
23      0.000    0.80   69.87  1.54431
24      0.000    1.00   63.88  1.51680
25      0.000    0.80   69.87  1.54431
26      0.000   90.76
【００５１】
図６（ａ）に、本第５実施例の撮影光学系の無限遠合焦時における光軸のスポットダイヤグラムを示す。この図６（ａ）に示すように、光軸上の光線が４点に分離されていることが分かる。
【００５２】
［第６実施例］
次に、第６実施例として、第１実施例と同様のレンズＳＬを有する撮影レンズＣＬに対して、図２（ｃ）に示す構成の光学的ローパスフィルタをレンズ側フィルタＬＦＬとして取り付けた場合であって、第５実施例の構成に対してこのレンズ側フィルタＬＦＬの分離方向を９０°回転させた場合（α＝９０°の場合）について説明する。
【００５３】
以下の表６にこの第６実施例に係る撮影光学系の諸元を示す。
【００５４】
（表６）
ｆ＝294.00ｍｍ
２ω＝8.38°
Ｆｎｏ＝2.88
α＝90°
ｄ２２＝14.50
ｍ      ｒ       ｄ     νｄ    ｎｄ
23      0.000    0.80   69.87  1.54431
24      0.000    1.00   63.88  1.51680
25      0.000    0.80   69.87  1.54431
26      0.000   90.76
【００５５】
図６（ｂ）に、本第６実施例の撮影光学系の無限遠合焦時における光軸のスポットダイヤグラムを示す。このように、レンズ側フィルタＬＦＬを９０°回転させることにより、光線の分離方向も９０°回転していることが分かる。
【００５６】
［第７実施例］
次に、第７実施例として、第１実施例と同様のレンズＳＬを有する撮影レンズＣＬに対して、図２（ｄ）に示す構成の光学的ローパスフィルタをレンズ側フィルタＬＦＬとして取り付けた場合について説明する。この図２（ｄ）に示す光学的ローパスフィルタは、図２（ｃ）に示す光学的ローパスフィルタよりも第１複屈折板ＤＲ１が厚い、すなわち、この第１複屈折板ＤＲ１による光線の分離量（分離幅）が大きい場合を示している。
【００５７】
以下の表７にこの第７実施例に係る撮影光学系の諸元を示す。
【００５８】
（表７）
ｆ＝294.00ｍｍ
２ω＝8.38°
Ｆｎｏ＝2.88
α＝0°
ｄ２２＝14.50
ｍ      ｒ       ｄ     νｄ    ｎｄ
23      0.000    1.50   69.87  1.54431
24      0.000    1.00   63.88  1.51680
25      0.000    0.80   69.87  1.54431
26      0.000   90.30
【００５９】
図６（ｃ）に、本第７実施例の撮影光学系の無限遠合焦時における光軸のスポットダイヤグラムを示す。このように、レンズ側フィルタＬＦＬが有する２枚の複屈折板のうち、物体側に配置された第１複屈折板ＤＲ１の厚さにより、光線の分離幅が変化することが分かる（この第７実施例では第５実施例よりも第１複屈折板ＤＲ１を厚くしたため、光線の分離量のうち、Ｙ軸方向の分離量が大きくなっている）。
【００６０】
［第８実施例］
次に、第８実施例として、第１実施例と同様のレンズＳＬを有する撮影レンズＣＬに対して、図２（ｅ）に示す構成の光学的ローパスフィルタをレンズ側フィルタＬＦＬとして取り付けた場合について説明する。この図２（ｅ）に示す光学的ローパスフィルタは、図２（ｃ）に示す光学的ローパスフィルタよりも第２複屈折板ＤＲ２が厚い、すなわち、この第２複屈折板ＤＲ２による光線の分離量（分離幅）が大きい場合を示している。
【００６１】
以下の表８にこの第８実施例に係る撮影光学系の諸元を示す。
【００６２】
（表８）
ｆ＝294.00ｍｍ
２ω＝8.38°
Ｆｎｏ＝2.88
α＝0°
ｄ２２＝14.50
ｍ      ｒ       ｄ     νｄ    ｎｄ
23      0.000    0.80   69.87  1.54431
24      0.000    1.00   63.88  1.51680
25      0.000    1.50   69.87  1.54431
26      0.000   90.30
【００６３】
図６（ｄ）に、本第８実施例の撮影光学系の無限遠合焦時における光軸のスポットダイヤグラムを示す。このように、レンズ側フィルタＬＦＬが有する２枚の複屈折板のうち、像側に配置された第２複屈折板ＤＲ２の厚さにより、光線の分離幅が変化することが分かる（この第８実施例では第５実施例よりも第２複屈折板ＤＲ２を厚くしたため、光線の分離量のうち、Ｘ軸方向の分離量が大きくなっている）。
【００６４】
［第９実施例］
次に、第９実施例として、第１実施例と同様のレンズＳＬを有する撮影レンズＣＬに対して、図２（ｆ）に示す構成の光学的ローパスフィルタをレンズ側フィルタＬＦＬとして取り付けた場合について説明する。この図２（ｆ）に示す光学的ローパスフィルタは、図２（ｃ）に示す光学的ローパスフィルタよりも第１及び第２複屈折板ＤＲ１，ＤＲ２が厚い、すなわち、この第１及び第２複屈折板ＤＲ１，ＤＲ２による光線の分離量（分離幅）が大きい場合を示している。
【００６５】
以下の表９にこの第９実施例に係る撮影光学系の諸元を示す。
【００６６】
（表９）
ｆ＝294.00ｍｍ
２ω＝8.38°
Ｆｎｏ＝2.88
α＝0°
ｄ２２＝14.50
ｍ      ｒ       ｄ     νｄ    ｎｄ
23      0.000    1.50   69.87  1.54431
24      0.000    1.00   63.88  1.51680
25      0.000    1.50   69.87  1.54431
26      0.000   89.85
【００６７】
図６（ｅ）に、本第９実施例の撮影光学系の無限遠合焦時における光軸のスポットダイヤグラムを示す。このように、レンズ側フィルタＬＦＬが有する２枚の複屈折板の厚さにより、光線の分離幅が変化することが分かる（この第９実施例では第５実施例よりも第１及び第２複屈折板ＤＲ１，ＤＲ２を厚くしたため、Ｘ軸方向及びＹ軸方向の光線の分離量が大きくなっている）。
【符号の説明】
【００６８】
１００  撮像装置    Ｂ  カメラボディ    Ｃ  撮像素子
ＢＦＬ  ボディ側フィルタ（光学的ローパスフィルタ）    ＣＬ  撮影レンズ
Ｓ  レンズ    ＬＦＬ  レンズ側フィルタ（光学的ローパスフィルタ）
【図１】
2013210611.tif 000003
【図２】
2013210611.tif 000004
【図３】
2013210611.tif 000005
【図４】
2013210611.tif 000006
【図５】
2013210611.tif 000007
【図６】
2013210611.tif 000008